(57)【要約】【課題】使用者の聴感上で、周波数特性がほぼフラットに聞こえる音を構造的に出力可能にする。【解決手段】前方空間(V3)から放音されるイヤホンであり、前方空間(V3)に放音する第１のスピーカユニット(7)と、第１のスピーカユニット(7)と異なる位置には配置された第２のスピーカユニット(9)と、第２のスピーカユニット(9)の放音面(9a)側に形成されたフロントキャビティ(V1)及び背面(9b)側に形成されたバックキャビティ(V2)と、フロントキャビティ(V1)と前方空間(V3)とを連通する第１のダクト(11)と、バックキャビティ(V2)と前方空間(V3)とを連通する第２のダクト(12)と、を備える。第１のダクト(11)は前方空間(V3)に第２のスピーカユニット(9)の出力音の内の低域の音を供給し、第２のダクト(12)は前方空間(V3)に第２のスピーカユニット(9)の出力音に対して高域を減衰させた音を出力する。【選択図】図３
2014150486.tif 000002
【特許請求の範囲】
【請求項１】
前方空間から放音されるイヤホンであって、
前記前方空間に放音する第１のスピーカユニットと、
前記第１のスピーカユニットと異なる位置には配置された第２のスピーカユニットと、
前記第２のスピーカユニットの放音面側に形成されたフロントキャビティ及び背面側に形成されたバックキャビティと、
前記フロントキャビティと前記前方空間とを連通する第１のダクトと、
前記バックキャビティと前記前方空間とを連通する第２のダクトと、
を備え、
前記第１のダクトは、前記前方空間に前記第２のスピーカユニットの出力音の内の低域の音を供給し、
前記第２のダクトは、前記前方空間に前記第２のスピーカユニットの出力音に対して高域を減衰させた音を出力するよう構成されているイヤホン。
【請求項２】
前記第１のダクトと前記フロントキャビティとで、ケルトン型の音出力構造が構成されていることを特徴とする請求項１に記載のイヤホン。
【請求項３】
前記第１のダクト及び前記第２のダクトの内、一方のダクトの内径が他方のダクト内径よりも小さく、かつ、前記一方のダクトの経路長が前記他方のダクトの経路長よりも長いことを特徴とする請求項１又は請求項２記載のイヤホン。
【発明の詳細な説明】
【技術分野】
【０００１】
本発明は、イヤホンに係る。
【背景技術】
【０００２】
イヤホン（以下、ヘッドホンと同義で用いる）は、耳介に装着して使用するため、大型のスピーカユニットは使用し難く、小型のスピーカユニットを用いるのが一般的である。
このため、イヤホンから出力される音は、使用者の聴感上、低音が不足する傾向にある。
そのため、従来、低音不足を補う工夫が種々提案されており、例えば特許文献１に記載されたイヤホン（バスレフ型ヘッドホン）がある。
【０００３】
また、イヤホンのタイプとして、本体から突出した管状部にイヤピースを装着し、そのイヤピースを外耳道内に挿入して使用するいわゆるカナル型と称されるタイプがある。
このカナル型について、例えば、特許文献２では「スピーカ前室７ａが容器、外耳道へのポート７ｂが筒として機能するヘルムホルツの共鳴器が形成」されて「高域の周波数特性が伸びにくい」という問題のあることが指摘されている。そして、特許文献２には、この高域の周波数特性を改善するカナル型ヘッドホンが提案されている。
【０００４】
すなわち、特許文献１に記載されたイヤホン（バスレフ型ヘッドホン）は、低音を増強するための音再生構造を有し、特許文献２に記載されたイヤホン（カナル型ヘッドホン）は高音の周波数特性を改善するための音再生構造を有している。これらは、いずれも出力音の周波数特性を構造的に調整する工夫が成されている。
【先行技術文献】
【特許文献】
【０００５】
【特許文献１】特開２００６−２８７６７４
【特許文献２】特開２０１２−１６９９５２
【発明の概要】
【発明が解決しようとする課題】
【０００６】
ところで、人の聴感度特性を表すものとして等ラウドネス曲線が知られており、人の耳は、いわゆる中音域と言われる概ね２ｋＨｚ〜４ｋＨｚの周波数帯域に高い聴感度を有していることが明らかになっている。
そのため、イヤホンからの出力音の周波数特性が、仮にフラットであったとしても、イヤホンを装着して出力音を聴取する使用者には、通常、２ｋＨｚ〜４ｋＨｚの中音域が強く感じられる。従って、音楽鑑賞や録音モニターにおける聴取音としては好ましくない場合があった。
【０００７】
イヤホンの出力音の周波数特性は、イコライザ等の電気回路で補正することも可能である。
しかしながら、電気回路を用いることは、コストアップの要因になり、また、原音声信号に対して少なからず影響を与える。
そのため、イヤホンの音出力構造を工夫し、出力音の周波数特性がフラットでなくても、使用者にとって、等ラウドネス曲線に基づき聴感上フラットに聞こえる音を提供できることが、最も望まれる。
【０００８】
そこで、本発明が解決しようとする課題は、使用者の聴感上で、周波数特性がほぼフラットに聞こえる音を構造的に出力可能にすることにある。
【課題を解決するための手段】
【０００９】
上記の課題を解決するために、本発明は次の構成を有する。
すなわち、前方空間(V3)から放音されるイヤホンであって、
前記前方空間(V3)に放音する第１のスピーカユニット(7)と、
前記第１のスピーカユニット(7)と異なる位置には配置された第２のスピーカユニット(9)と、
前記第２のスピーカユニット(9)の放音面(9a)側に形成されたフロントキャビティ(V1)及び背面(9b)側に形成されたバックキャビティ(V2)と、
前記フロントキャビティ(V1)と前記前方空間(V3)とを連通する第１のダクト(11)と、
前記バックキャビティ(V2)と前記前方空間(V3)とを連通する第２のダクト(12)と、
を備え、
前記第１のダクト(11)は、前記前方空間(V3)に前記第２のスピーカユニット(9)の出力音の内の低域の音を供給し、
前記第２のダクト(12)は、前記前方空間(V3)に前記第２のスピーカユニット(9)の出力音に対して高域を減衰させた音を出力するよう構成されているイヤホン(51)である。
【発明の効果】
【００１０】
本発明によれば、使用者の聴感上で、周波数特性がほぼフラットに聞こえる音が構造的に出力可能になる、という効果が得られる。
【図面の簡単な説明】
【００１１】
【図１】本発明の実施の形態に係るイヤホンの実施例１であるイヤホン５１を説明するための外観斜視図である。
【図２】実施例１のイヤホン５１を説明するための斜視的分解図である。
【図３】イヤホン５１を説明するための断面図である。
【図４】イヤホン５１における配線図である。
【図５】イヤホン５１における正面ダクト１１を示す三面図である。
【図６】イヤホン５１における背面ダクト１２を示す三面図である。
【図７】イヤホン５１における要部の構造を説明するための斜視図である。
【図８】正面ダクト１１及び背面ダクト１２から出力される音の周波数特性を説明するためのグラフである。
【図９】イヤホン５１における作用を説明するための表である。
【図１０】イヤホン５１の変形例における背面ダクト１２を示す縦断面図である。
【図１１】イヤホン５１の他の変形例における作用を説明するための表である。
【図１２】イヤホン５１の別の変形例における作用を説明するための表である。
【図１３】別の変形例を更に変形した場合の作用を説明するための表である。
【発明を実施するための形態】
【００１２】
本発明の実施の形態に係るイヤホンを、好ましい実施例であるイヤホン５１により図１〜図１３参照して説明する。
【００１３】
まず、実施例のイヤホン５１の構造について、図１〜図３を参照して説明する。
図１は、イヤホン５１を説明するための外観斜視図であり、図２はイヤホン５１の斜視的分解図であり、図３は、図１におけるＳ１−Ｓ１断面図である。
【００１４】
イヤホン５１は、カナル型である。図１〜図３に示されたイヤホン５１は、左耳装着用であり、右耳装着用は左耳装着用に対して左右対称の共通構造を有しているので、以下の説明においては、代表としてこの左耳装着用のものを説明する。また、上下前後左右の各方向は、イヤホン５１を主体とした図１に矢印で示された方向で規定する。
【００１５】
イヤホン５１は、本体部１と、本体部１から下方に延出したブッシング３と、本体部１からブッシング３の内部を通して外部に引き出されたコード４と、を有している。コード４は、丸型又は平型の二芯コードである。
本体部１は三つの筐体部材の組み合わせで構成されている。すなわち、筐体部材は、左カバー１ａ，右カバー１ｂ，及び前カバー１ｃである。
三つの筐体部材は、熱可塑性樹脂により形成されている。樹脂の具体例として、ＡＢＳ（アクリロニトリル・ブタジエン・スチレン）樹脂、ＰＣ（ポリカーボネート）樹脂がある。
【００１６】
前カバー１ｃには、左前方に向けて斜めに突出する筒状の音筒部２が形成されている。音筒部２の外周面には、シリコーンゴム等からなるイヤピース５が着脱自在に取り付けられる。
【００１７】
本体部１の構造について詳述ずる。
本体部１は、上述のように、左方側と右方側と前方側とに分割された三つのカバーである左カバー１ａ，右カバー１ｂ，及び前カバー１ｃが組み合わされて成る。ブッシング３は、左カバー１ａと右カバー１ｂとに挟まれて保持されている。
音筒部２は、前カバー１ｃに一体的に形成されている。また、左カバー１ａにはリング状のオーナメント１ｄが取り付けられている。
【００１８】
前カバー１ｃの内側には、ユニットホルダ６が収納されている。ユニットホルダ６は、例えば金属材（真鍮など）や硬質の樹脂材などで長円体状に形成されている。
ユニットホルダ６は、二つのスピーカユニット７，８が上方側をスピーカユニット７とする上下並列でそれぞれ後方側から収容される収容孔６ａ，６ｂと、後述する正面ダクト１１及び背面ダクト１２の端部１１ｅ側及び端部１２ａ側とそれぞれ接続される貫通孔６ｅ及び貫通孔６ｆと、を有している。
すなわち、ユニットホルダ６は、二つのスピーカユニット７，８と、正面ダクト１１の端部１１ｅ及び背面ダクト１２の端部１２ａと、を支持している。
【００１９】
スピーカユニット７，８がそれぞれユニットホルダ６の収容孔６ａ，６ｂに収容された状態で、各振動板（図示せず）の駆動軸線ＣＬ７，ＣＬ８は互いに平行になっている。
【００２０】
スピーカユニット７とスピーカユニット８とは、この例では同じ仕様のものであり、ケースの外径が５．８ｍｍ、振動板の外径（エッジを含む可動部の外径）が５．５５ｍｍのダイナミック型の電気音響変換器である。
スピーカユニット７，８には、コード４の一端側が電気的に接続され、コード４の他端側に接続された再生装置（図示せず）からの音声信号を、音に変換して出力する。図２では、コード４の両端側の描画を省略してある。
【００２１】
本体部１の後方側、すわわち、音筒部２に対してスピーカユニット７，８よりも離れた位置には、スピーカユニット９が収容されている。
スピーカユニット９は、ケースの外径が８．８ｍｍ、振動板９ｓ（図示せず）の外径Ｄｃ（エッジを含む可動部の外径）が７．８ｍｍのダイナミック型の電気音響変換器である。
スピーカユニット９は、正面となる放音面９ａが左方側を向く姿勢で、ユニット正面カバー１０とユニット背面カバー１３とが組み合わされたユニットカバー体１４の内部に収容されている。ユニット正面カバー１０とユニット背面カバー１３とは、溶着又は接着によりユニットカバー体１４として一体化されている。
スピーカユニット９とユニット正面カバー１０及びユニット背面カバー１３との間は、封止状態となっている。そのため、放音面９ａから出力した音は、ユニット背面カバー１３側には回りこまないようになっている。
各スピーカユニット７〜９とコード４との電気的接続の例は、図４に示される。
【００２２】
図４は、コード４とスピーカユニット７〜９との電気的接続の例を示す結線図である。コード４は二芯であり、各スピーカユニット７〜９は、並列に、かつ正負が同相となるように接続されている。
【００２３】
ユニット正面カバー１０は、段付き丸鍋状に形成されている。具体的には、円盤状の底部１０ｅと、底部１０ｅの周縁から立ち上がる周壁である小径部１０ｂと、底部１０ｅと平行方向に拡径する段部１０ａと、段部１０ａの周縁から立ち上がる周壁である小径部１０ｂより大径の大径部１０ｄと、を有している。
ユニット背面カバー１３は、概ね丸鍋状に形成され、円盤状の底部１３ａと、底部１３ａの周縁から立ち上がり、開口側に向かって緩やかに拡径する部分を有する周壁部１３ｂと、を有している。
ユニット正面カバー１０及びユニット背面カバー１３は、例えば、ＡＢＳ樹脂やＰＣ樹脂などの熱可塑性樹脂、真鍮やアルミ二ウムなどの金属などで形成されている。
【００２４】
ユニット正面カバー１０おいて、スピーカユニット９は、放音面９ａの周縁が段部１０ａに突き当たった位置で収容されている。詳しくは、スピーカユニット９の奥行き方向における放音面９ａ側の概ね半分が、大径部１０ｄの内側にほとんど隙間が生じないように収容されている。
また、放音面９ａ側とは反対側の概ね半分が、ユニット背面カバー１３の周壁部１３ｂの内側にほとんど隙間が生じないように収容されている。
【００２５】
放音面９ａとユニット正面カバー１０によって、両者に囲まれた空間であるフロントキャビティＶ１は形成されている。
フロントキャビティＶ１に面する小径部１０ｂにおいて、その内面側の面部１０ｂ１には、一箇所、開口部１０ｃが形成されている。
この開口部１０ｃには、外側から第１のダクトとして正面ダクト１１が挿入されている。正面ダクト１１の詳細については後述する。
フロントキャビティＶ１は、この開口部１０ｃに挿入された正面ダクト１１のダクト孔１１ｈを除き実質的に密閉状態となっている。
【００２６】
スピーカユニット９の背面９ｂ側は、ユニット背面カバー１３で覆われている。また、背面９ｂとユニット背面カバー１３とに囲まれた空間としてバックキャビティＶ２が形成されている。
また、ユニット背面カバー１３の周壁部１３ｂには、開口部１３ｃが形成されている。
開口部１３ｃには、外側から第２のダクトとして背面ダクト１２が挿入されている。背面ダクト１２の詳細については後述する。
また、周壁部１３ｂには、コード孔（図示せず）が開口している。コード孔には、スピーカユニット９に音声信号を供給するためのコード４から引き出された二本のリードが通されて、スピーカユニット９の一対の端子９ｔにそれぞれ接続されている。リードとコード孔との隙間には、製造工程で接着剤等が塗布され、封止される。
従って、バックキャビティＶ２は、開口部１３ｃに挿入された背面ダクト１２のダクト孔１２ｈを除き実質的に密閉状態となっている。
【００２７】
本体部１におけるスピーカユニット９の配置姿勢は、例えば、その駆動軸線ＣＬ９が、スピーカユニット７，８の駆動軸線ＣＬ７，ＣＬ８と交差する（例えば直交する）ように設定されている。
【００２８】
次に、正面ダクト１１及び背面ダクト１２と、両ダクト１１，１２がユニットホルダ６とユニットカバー体１４とを連結している状態と、について図３及び図５〜図７を主に参照して説明する。
図５は、正面ダクト１１の三面図であり、図６は、背面ダクト１２の三面図である。また、図７は、スピーカユニット７，８が取り付けられたユニットホルダ６と、スピーカユニット９を収容したユニットカバー体１４と、ユニットホルダ６とユニットカバー体１４とを繋ぐように配設された正面ダクト１１及び背面ダクト１２などを抽出して描いた図である。
【００２９】
正面ダクト１１は、一端と他端との間を連通する内径Ｄ１１ｈなるダクト孔１１ｈを有する細管に、所定の曲げ加工を施すなどして形成されている。材料は限定されるものではなく、例えば、金属材（鉄、アルミニウム、銅など）や樹脂材（ポリエチレンなど）を用いて管状に形成されたものを使用することができる。
正面ダクト１１は、フロントキャビティＶ１に挿入される端部１１ａ側において概ね直線状に形成された直状部１１ｂと、他方の端部１１ｅ側において概ね直線状に形成された直状部１１ｄと、直状部１１ｂと直状部１１ｄとの間において所定の内径Ｄａで形成された円弧部１１ｃと、を有している。
この形状は、正面ダクト１１が金属などの高剛性材で形成された場合は、自然状態で維持されるので、イヤホン５１の組み立て作業時にはその状態で本体部１内に組み付ける。
また、軟質ポリエチレンなどの低剛性材で形成された場合は、自然状態では完全には維持され難いので、組み立て作業時において、治具や自動機械によってこの形状に精度よくフォーミングしてユニット正面カバー１０に組み付ける。
【００３０】
円弧部１１ｃは、その内径Ｄａが、ユニット正面カバー１０の小径部１０ｂの外径Ｄｂ(図７参照）に対して僅かに大きく設定されている。また、正面ダクト１１は、その断面形状における外径が、小径部１０ｂと大径部１０ｄとの外径差の半分よりも小さく設定されている。
これにより、図３及び図７で示されるように、円弧部１１ｃは、ユニット正面カバー１０の小径部１０ｂの外側においてユニット正面カバー１０の最大外形（大径部１０ｄの外形）から径方向外側にはみ出すことなく、段部１０ａの段差に丁度収まるように配設されている（円弧部１１ｃは、段部１０ａの段差に収まるものに限定されず、ユニット正面カバー１０の最大外形からはみ出していてもよい）。
【００３１】
また、正面ダクト１１に円弧部１１ｃを設けることにより、本体部１内の空き空間を有効に利用して、ダクト孔１１ｈの全長（経路長）をできるだけ長く確保することができている。
また、正面ダクト１１は、その円弧部１１ｃが、スピーカユニット９の駆動軸線ＣＬ９のまわりに弧を描くように配設されている。すなわち、円弧部１１ｃの円弧内に駆動軸線ＣＬ９が位置するように形成されている。例えば、駆動軸線ＣＬ９を中心とする円弧である。
これにより、正面ダクト１１の円弧部１１ｃの占有空間において、駆動軸線ＣＬ９から円弧部１１ｃの外形までの最大距離が小さくなるので、本体部１を極めてコンパクトなデザインで形成することができる。
すなわち、円弧部１１ｃは、ダクト孔１１ｈの全長（経路長）を、コンパクトな左カバー１ａ，右カバー１ｂで形成された占有空間内で、より長く得るための経路延長部として機能している。
【００３２】
背面ダクト１２は、一方の端部１２ａと他方の端部１２ｂとの間を連通する内径Ｄ１２ｈなるダクト孔１２ｈを有する管である。
材料は、限定されるものではないが、高音を吸収する材料が好ましい。例として、軟質ＰＥ（ポリエチレン）のチューブがある。
背面ダクト１２は、三つの直状部を有し、各直状部の接続点で僅かに折れ曲がるように形成されている。この折れ曲がりは、ユニットホルダ６からバックキャビティＶ２に至るまで、出来る限り短い距離で繋げるように設けられている。ただし、背面ダクト１２が軟質ＰＥ等の柔軟性を有する材料で形成されている場合は、接続点が必ずしも明確ではなくなだらかに曲がるものであってもよい。
三つの直状部は、ユニットホルダ６の貫通孔６ｆに挿入される端部１２ａ側の直状部１２ｃ，開口部１３ｃからバックキャビティＶ２の内部に挿入される端部１２ｂ側の直状部１２ｅ，及び直状部１２ｃと直状部１２ｅとを繋ぐ直状部１２ｄである。
直状部１２ｃは、ユニットホルダ６を貫通せず、貫通孔６ｆの途中に端部１２ａが位置している。これは、背面ダクト１２のダクト孔１２ｈの経路長を、できるだけ短くするための工夫である。
【００３３】
上述の正面ダクト１１及び背面ダクト１２において、正面ダクト１１の中間部である直状部１１ｄにおける円弧部１１ｃ側の部位及び背面ダクト１２の中間部である直状部１２ｄは、ブッシング３に形成された孔又は溝に接触係合して支持されている。
ブッシング３は柔軟性を有する材料（ゴム又は熱可塑性エラストマなど）で形成されているので、この接触係合により、正面ダクト１１及び背面ダクト１２の不要な振動はブッシング３に吸収されてイヤホン５１の出力音の音質に影響を及ぼすことはない。
【００３４】
上述の構成により、フロントキャビティＶ１と、ユニットホルダ６の前方空間Ｖ３である音筒部２の内部空間と、が正面ダクト１１により連通されている。
また、バックキャビティＶ２と、前方空間Ｖ３である音筒部２の内部空間と、が、背面ダクト１２により連通されている。
この正面ダクト１１による空間連通と背面ダクト１２による空間連通とは、互いに完全に独立して行われる。
【００３５】
次に、正面ダクト１１と背面ダクト１２との形状の違いについて比較説明する。
正面ダクト１１のダクト孔１１ｈの経路長である延在長さＬ１１ｈは、背面ダクト１２のダクト孔１２ｈの経路長である延在長さＬ１２ｈよりも長く設定されている。
すなわち、Ｌ１２ｈ＜Ｌ１１ｈであって、例えば、Ｌ１１ｈ＝２ｘＬ１２ｈである。
また、正面ダクト１１のダクト孔１１ｈの内径Ｄ１１ｈは、背面ダクト１２のダクト孔１２ｈの内径Ｄ１２ｈよりも小さく設定されている。
すなわち、Ｄ１１ｈ＜Ｄ１２ｈであって、例えば、Ｄ１２ｈ＝２．５ｘＤ１１ｈである。
【００３６】
次に、正面ダクト１１及び背面ダクト１２の作用について説明する。
イヤホン５１において、正面ダクト１１とフロントキャビティＶ１との各寸法は、例えば以下のように設定される。
正面ダクト１１のダクト孔１１ｈの延在長さＬ１１ｈ＝３０ｍｍ
正面ダクト１１のダクト孔１１ｈの内径Ｄ１１ｈ＝０．５０ｍｍ
フロントキャビティＶ１の概略内寸：内径７．５ｍｍ、奥行き３．０ｍｍ
この設定により、正面ダクト１１は、フロントキャビティＶ１と共にケルトン型エクロージャに相当する音放出構造を構成している。
【００３７】
このケルトン型構造における筒に相当するダクト孔１１ｈの開口面積ａは、ａ＝（Ｄ１１ｈ／２）２ｘπ＝０．１９６ｍｍ２  となり、ケルトン型構造における容器に相当するフロントキャビティＶ１の容積Ｖは、Ｖ＝（７．５／２）２ｘπｘ３＝１３３ｍｍ３  となる。
このようなケルトン型の音放出構造により、正面ダクト１１の端部１１ｅからは、ユニットホルダ６の前方空間Ｖ３に、所定の特性ＳＤ１（図８参照）の低域リッチな音が出力される。
【００３８】
一方、イヤホン５１において、背面ダクト１２とバックキャビティＶ２との各寸法は、例えば以下のように設定される。
正面ダクト１２のダクト孔１２ｈの延在長さＬ１２ｈ＝１５ｍｍ
正面ダクト１２のダクト孔１２ｈの内径Ｄ１２ｈ＝１．２５ｍｍ
バックキャビティＶ２の概略内寸：内径７．５ｍｍ、奥行き３．０ｍｍ
この設定により、背面ダクト１２は、バックキャビティＶ２と共にケルトン型エンクロージャに相当する音放出構造を構成している。
【００３９】
このケルトン型構造における筒に相当するダクト孔１２ｈの開口面積ａは、ａ＝（Ｄ１２ｈ／２）２ｘπ＝１．２２７ｍｍ２  となり、ケルトン型構造における容器に相当するバックキャビティＶ２の容積Ｖは、Ｖ＝（７．５／２）２ｘπｘ３＝１３３ｍｍ３  となる。
このようなケルトン型の音放出構造により、背面ダクト１２の端部１２ｅからは、ユニットホルダ６の前方空間Ｖ３に、所定の特性ＳＤ２（図８参照）なる逆位相の中低域リッチな音が出力される。
【００４０】
ここで、正面ダクト１１から出力される音の特性ＳＤ１及び背面ダクト１２から出力される音の特性ＳＤ２について、図８を参照して説明する。
図８は、各特性ＳＤ１，ＳＤ２と、スピーカユニット９の出力音の周波数特性である特性ＳＤ３と、を示した周波数Ｈｚ（横軸）−音圧ｄＢ（縦軸）グラフである。
横軸には、低音域と中音域と高音域とを分ける境界周波数を記載してある。ここでは、一般的に言われている境界周波数として、低音域と中音域との境界を５００Ｈｚ、中音域と高音域との境界を２０００Ｈｚとしている。
【００４１】
図８において、スピーカユニット９の出力音は、特性ＳＤ３に示されるように、低域から高域に至まで概ね平坦な周波数特性を有している。スピーカユニット９の出力音圧は、スピーカユニット７，８それぞれの出力音圧とほぼ同等である。
これに対し、正面ダクト１１から出力される音は、特性ＳＤ１に示されるように概ね低音リッチな特性であり、その低音の音圧は、スピーカユニット９の出力音とほぼ同等である。
また、背面ダクト１２から出力される音は、特性ＳＤ２に示されるように概ね中音と低音とがリッチな特性であり、その中音及び低音の音圧は、スピーカユニット９の出力音とほぼ同等である。
【００４２】
ケルトン型の音放出構造から出力される音は、一般にバンドパスタイプとなることが知られている。
特性ＳＤ１及び特性ＳＤ２には、そのバンドパスタイプの高域側の減衰曲線が適用されており、特に、特性ＳＤ１が低音リッチであり特性ＳＤ２が中低音リッチとなるように、各筒及び容器に相当する各ダクト孔及び各キャビティの仕様が決められている。例えば、一方のダクトの内径を他方のダクト内径よりも小さくし、かつ、その一方のダクトの経路長を他方のダクトの経路長よりも長くしてある。
【００４３】
また、背面ダクト１２を、音を吸収する材質で形成する、又は音を吸収する材質の層を有する多層構造にすると、ダクト孔１２ｈを通過する音の高域成分を吸収する。従って、スピーカユニット９の背面側から出力された音は、ダクト孔１２ｈを通過し、端部１２ａから高音が減衰した音としてユニットホルダ６の前方空間Ｖ３に出力される。
【００４４】
ところで、正面ダクト１１の端部１１ｅは、フロントキャビティＶ１内に開口し、振動板９ｓの正面側から放出された音を前方空間Ｖ３に供給する。
一方、背面ダクト１２の端部１２ｂは、バックキャビティＶ２内に開口し、振動板９ｓの背面側から放出された音を前方空間Ｖ３に供給する。
図４に示されているように、スピーカユニット７〜９は、電気的に並列接続されスピーカユニット７〜９の振動板の各駆動軸線ＣＬ７〜ＣＬ９方向の進退動は、同期している。
【００４５】
ここで、振動板の駆動軸線方向における正面側（放音面側）からの音の波を（＋）とし、背面側の音の波を（−）とすると、正面ダクト１１の端部１１ｅから前方空間Ｖ３に供給される中高音が減衰し低音リッチとされた音は、スピーカユニット９の正面側からの音に由来するのでその波は（＋）である。
一方、背面ダクト１２の端部１２ｂから前方空間Ｖ３に供給される高音が減衰し中低音リッチとされた音は、スピーカユニット９の背面側からの音に由来するからその波は（−）である。
従って、前方空間Ｖ３では、スピーカユニット７，８それぞれの正面側からの（＋）の波の音（以下、ＳＰ音と称する）と、フロントキャビティＶ１からの（＋）の波の音（以下、正面Ｄ音と称する）と、バックキャビティＶ２からの（−）の波の音（以下、背面Ｄ音と称する）と、が混じり合い、その混合音は（＋）と（−）との加算で示される。
【００４６】
ここで、ＳＰ音，正面Ｄ音，及び背面Ｄ音について、低音域，中音域，及び高音域の三つの音域それぞれにおける（＋）と（−）とを評価すると共に、混合音として加算した結果を図９の表に示す。
図９に示されるように、ＳＰ音は、一つのスピーカユニットについて、三つの音域すべてが増強及び減衰なく出力されるので、すべての音域で（＋）となり、ＳＰ音を出力するスピーカユニットの個数がスピーカユニット７とスピーカユニット８との二つであるから、（＋）（＋）となる。
正面Ｄ音は、図８に示される特性ＳＤ１の音であり低音域の音圧がスピーカユニット７，８の一つ分と同等であるから、低音域は（＋）として出力され、中高音域は実質的に出力されないので０（ゼロ）となる。
背面Ｄ音は、図８に示される特性ＳＤ２の音であり中低音域の音圧がスピーカユニット７，８の一つ分と同等であるから、高音域は減衰して実質的に０（ゼロ）であり、減衰がない低音域及び中音域は（−）として出力される。
従って、（＋）と（−）との評価を三つの音域毎に加算すると、混合音は、低音域及び高音域で（＋）（＋）となり、中音域で（＋）となる。
【００４７】
このように、前方空間Ｖ３で混合した音は、中音域に対して低音域と高音域とが増強されており、この音が使用者の耳で聴取される。
人の耳は、等ラウドネス曲線に示されるように中音域に高い聴感度特性を有しているので、聴感上で中音域が強調され（＋）（＋）として聴取される。
これにより、イヤホン５１の使用者は、イヤホン５１からの出力音を、三つの音域すべてが（＋）（＋）なる周波数特性が概ねフラットな音として聴取する。
従って、イヤホン５１は、電気回路を用いることなく、音再生構造上の工夫で、使用者の聴感上、周波数特性がほぼフラットに聞こえる音を出力することができるようになっている。
【００４８】
本発明の実施例は、上述した構成に限定されるものではなく、本発明の要旨を逸脱しない範囲において以下のような変形例としてもよい。
【００４９】
図１０（背面ダクト１２の縦断面図）に示されるように、背面ダクト１２のダクト孔１２ｈには、高域の音を吸収する材料（例えば多孔質材料）を用いて形成したフィルタ１５を配設してもよい。
これにより、スピーカユニット９における背面９ｂ側のバックキャビティＶ２からの音を、背面ダクト１２及びフィルタにより高音域をより効率良く減衰させて前方空間Ｖ３に供給することができる。
【００５０】
前方空間Ｖ３に直接音を出力する一対のスピーカユニット７，８は、一つ（例えばスピーカユニット７のみ）であってもよい。この場合の評価が図１１に示される。
図１１において、ＳＰ音の評価は、すべての音域で（＋）となる。
また、スピーカユニット７の出力と、正面Ｄ音及び背面Ｄ音の各出力と、が近いと、ＳＰ音の中音域の（＋）と背面Ｄ音の（−）とが相殺して０（ゼロ）相当となり、中音域の出力が低下しすぎる虞がある。
そのため、一つとしたスピーカユニット７は、スピーカユニット９よりも顕著に高出力のものであることが望ましい。
【００５１】
実施例では、フロントキャビティＶ１からの音の供給に正面ダクト１１を用い、バックキャビティＶ２からの音の供給に背面ダクト１２を用いた例を説明したが、各ダクト１１，１２を入れ替えて配設してもよい。
すなわち、背面ダクト１２をフロントキャビティＶ１からの音を前方空間Ｖ３に供給するものとして用い、正面ダクト１１をバックキャビティＶ２からの音を前方空間Ｖ３に供給するものとして用いてもよい。
図１２は、この場合の（＋）（−）評価を示している。
図１２の結果から、フロントキャビティＶ１とバックキャビティＶ２との容積の関係を逆転させ、かつ、正面ダクト１１と背面ダクト１２とを入れ替えてそれぞれバックキャビティＶ２とフロントキャビティＶ１とに配設すると、混合音において、中音域が低音域及び高音域より強調された音となってしまう。
そこで、途中に回路を挿入したり、ＧＮＤと入力の配線を逆にしたり、またはドライバユニットを逆にするなどして、スピーカユニット７，８とスピーカユニット９とで正負逆相となるようにするとよい。その場合の結果は、図１３に示されるように、正面Ｄ音は、低音域及び中音域で（−）、高音域で０（ゼロ）となり、背面Ｄ音は、低音域で（＋）、中音域及び高音域で０（ゼロ）となり、混合音において、低音域及び高音域が中音域より強調された音となる。
従って、使用者の聴感上、周波数特性がほぼフラットに聞こえる音が出力できるという効果が、実施例と同様に得られる。
【００５２】
イヤホン５１は、正面ダクト１１とフロントキャビティＶ１とで、また、背面ダクト１２とバックキャビティＶ２とで、ケルトン型の音出力構造を構成するものを説明したが、ケルトン型の音出力構造を構成するものに限定されない。
少なくとも、正面ダクト１１及び背面ダクト１２の一方がスピーカユニット９の一面側から出力された音の低域リッチな音を前方空間Ｖ３に供給し、他方がスピーカユニット９の他面側から出力された音の中低域リッチな音を前方空間Ｖ３に供給するものであればよい。
【符号の説明】
【００５３】
１  本体部
１ａ  左カバー、    １ｂ  右カバー、    １ｃ  前カバー
１ｄ  オーナメント
２  音筒部
３  ブッシング
４  コード
５  イヤピース
６  ユニットホルダ
６ａ，６ｂ  収容孔、    ６ｅ，６ｆ  貫通孔
７，８  スピーカユニット
９  スピーカユニット
９ａ  放音面、    ９ｂ  背面、    ９ｓ  振動板、    ９ｔ  端子
１０  ユニット正面カバー
１０ａ  段部、    １０ｂ  小径部、    １０ｂ１  面部
１０ｃ  開口部、    １０ｄ  大径部、    １０ｅ  底部
１１  正面ダクト(第１のダクト）
１１ａ，１１ｅ  端部、    １１ｂ，１１ｄ  直状部、    １１ｃ  円弧部
１１ｈ  ダクト孔
１２  背面ダクト（第２のダクト）
１２ａ，１２ｂ  端部、    １２ｃ，１２ｄ，１２ｅ  直状部
１２ｈ  ダクト孔
１３  ユニット背面カバー
１３ａ  底部、    １３ｂ  周壁部、    １３ｃ  開口部
１４  ユニットカバー体
５１  イヤホン
ＣＬ７〜ＣＬ９  駆動軸線
Ｄａ  内径、    Ｄｂ，Ｄｃ  外径、    Ｄ１１ｈ，Ｄ１２ｈ  内径
ｆ１１，ｆ１２  共鳴周波数
Ｌ１１ｈ，Ｌ１２ｈ  延在長さ（経路長）
ＳＤ１〜ＳＤ３  特性
Ｖ１  フロントキャビティ、    Ｖ２  バックキャビティ、    Ｖ３  前方空間
【図１】
2014150486.tif 000003
【図２】
2014150486.tif 000004
【図３】
2014150486.tif 000005
【図４】
2014150486.tif 000006
【図５】
2014150486.tif 000007
【図６】
2014150486.tif 000008
【図７】
2014150486.tif 000009
【図８】
2014150486.tif 000010
【図９】
2014150486.tif 000011
【図１０】
2014150486.tif 000012
【図１１】
2014150486.tif 000013
【図１２】
2014150486.tif 000014
【図１３】
2014150486.tif 000015